(57)【要約】【課題】室内機が暖房運転をしている場合に、床暖房あるいは給湯に使用される二次冷媒を所望の温度に上昇させることができる快適性および経済性の向上した使い勝手のよい空気調和機を提供すること。【解決手段】暖房サイクルにおいて、中間ユニット６を室内機４の上流側に配置するとともに、室内機４と中間熱交換器２６の間に、減圧手段を構成する電動開閉弁２８と電動調整弁３０を互いに並列に接続した。【選択図】　図１
2004044946.tif 000002
【特許請求の範囲】
【請求項１】
室外機と、冷媒を用いて空調を行う室内機と、冷媒により二次冷媒を加熱する中間ユニットとを備えた空気調和機において、
上記中間ユニットを暖房サイクルにおける上記室内機の上流側に配置するとともに、上記中間ユニットと上記室内機との間に冷媒循環時の上記中間ユニットと上記室内機の圧力を調整する減圧手段を設けたことを特徴とする空気調和機。
【請求項２】
上記中間ユニット内に設けられ、冷媒と二次冷媒との熱交換を行う中間熱交換器の暖房サイクルにおける下流側で並列に接続された開閉弁と中間絞り手段とにより上記減圧手段を構成したことを特徴とする請求項１に記載の空気調和機。
【請求項３】
上記室外機の制御を行う室外制御装置と上記室内機の制御を行う室内制御装置とが、上記中間ユニットの制御を行う中間制御装置を介して通信を行うことを特徴とする請求項１あるいは２に記載の空気調和機。
【請求項４】
上記室内機に室内配管温度あるいは室内凝縮温度を検出する第一の温度検出手段を設け、暖房運転時、上記開閉弁への通電を制御するとともに、上記第一の温度検出手段で検出した温度に基づいて上記中間絞り手段の制御を行うことを特徴とする請求項２あるいは３に記載の空気調和機。
【請求項５】
上記減圧手段と上記室内機との間に上記中間ユニット内の配管温度を検出する第二の温度検出手段を設け、二次冷媒端末を単独運転する場合、上記開閉弁への通電を制御するとともに、上記第二の温度検出手段で検出した温度に基づいて上記絞り手段の制御を行うことを特徴とする請求項２あるいは３に記載の空気調和機。
【請求項６】
上記中間ユニットと上記室内機との間の冷媒配管と、上記室外機と上記中間ユニットとの間の冷媒配管とを連通するバイパス管を設け、暖房運転時は上記室外機を出た冷媒を上記中間ユニットおよび上記室内機を循環させて上記室外機に帰還させる一方、冷房運転時は上記室外機を出た冷媒を上記室内機を循環させ上記バイパス管を介して上記室外機に帰還させたことを特徴とする請求項１乃至５のいずれか１項に記載の空気調和機。
【発明の詳細な説明】
【０００１】
【発明の属する技術分野】
本発明は、蒸気圧縮式のヒートポンプを構成する室外機と室内機に加え、同じ室外機を用いて二次冷媒を加熱するようにした空気調和機に関する。
【０００２】
【従来の技術】
従来、蒸気圧縮式のヒートポンプにおいて、直膨式の室内機に加え、二次冷媒により動作する室内端末を備えた空気調和機はいくつか提案されている。
【０００３】
図３は、その一例を示しており、室外機１０１、室内機１０２、温水ユニット１０３および温水床パネル１０４で装置全体が構成されている。この空気調和機においては、室内機１０２による冷暖房と温水床パネル１０４による床暖房が可能である。ただし、室内機１０２による冷房と温水床パネル１０４による床暖房を同時に行うことはできない。
【０００４】
室外機１０１は、圧縮機１１１、四方弁１１２、室外熱交換器１１３、電動膨張弁１１５，１１６を順に接続して冷媒回路を構成している。室外熱交換器１１３は、室外ファン１１４により外気と熱交換を行う。四方弁１１２は、冷房、暖房などの運転モードに応じて回路を切り替えることにより冷媒の流れる方向を制御している。室外制御装置１１７は、室内機１０２や温水ユニット１０３からの情報などに基づいて、圧縮機１１１、四方弁１１２、室外ファン１１４、電動膨張弁１１５，１１６の動作を制御している。
【０００５】
室内機１０２は、室内熱交換器１１８、室内ファン１１９、室内制御装置１２０により構成されおり、運転モードに応じた動作を行うとともに、運転に必要な情報を室内制御装置１２０から室外制御装置１１７に送出している。
【０００６】
温水ユニット１０３は、冷媒（一次冷媒）と二次冷媒との熱交換を行う中間熱交換器１２１、バッファータンク１２２、ポンプ１２３、温水ユニット制御装置１２４により構成され、作った温水を温水床パネル１０４に送って床暖房を行う。
【０００７】
暖房運転時は、圧縮機１１１で高温高圧に圧縮された冷媒が四方弁１１２を経て、室内熱交換器１１８あるいは中間熱交換器１２１へ送られ、それぞれ放熱し凝縮した後、電動膨張弁１１５，１１６を経て室外熱交換器１１３で蒸発し、四方弁１１２を経て圧縮機１１１へ戻る。このとき、室内熱交換器１１８および中間熱交換器１２１での放熱量は電動膨張弁１１５，１１６の開度バランスによって決定されるが、室内熱交換器１１８および中間熱交換器１２１における凝縮圧すなわち凝縮温度は同じである。
【０００８】
また、図４は特開平５−２８８４２８に開示されている空気調和機を示している。この空気調和機は、圧縮機２０１、四方弁２０２、第一利用側熱交換器２０３、第一絞り装置２０４、中間熱交換器２０５、第二絞り装置２０６、熱源側熱交換器２０７、アキュムレータ２０８、バイパス管２０９、流量調節弁２１０、ポンプ２１１、第二利用側熱交換器２１２により構成されている。
【０００９】
この空気調和機においては、冷媒で動作する第一利用側熱交換器２０３を室内機に、二次冷媒で動作する第二利用側熱交換器２１２を床パネルに設定し、室内機による冷房あるいは暖房運転、床パネルによる冷房あるいは暖房運転の４通りの組み合わせに加え、室内機による除湿と床パネルによる暖房の運転モードが提案されている。
【００１０】
バイパス管２０９と流量調節弁２１０は、第一利用側熱交換器２０３と第二利用側熱交換器２１２の放熱バランスを調整するために設けられたもので、流量調節弁２１０を開き、第一絞り装置２０４を絞ると、バイパス管２０９を流れる一次冷媒の量が増大し、第二利用側熱交換器２１２での放熱量が増大する構成となっている。
【００１１】
また、室内機と床パネルによる暖房運転において、室内機つまり第一利用側熱交換器２０３が上流にあり、中間熱交換器２０５での凝縮温度は常に第一利用側熱交換器２０３の凝縮温度よりも低くなる構成となっている。
【００１２】
【発明が解決しようとする課題】
しかしながら、上記従来の空気調和機においては次のような課題がある。
空気と熱交換する室内機で暖房に必要な冷媒の凝縮温度と、温水床暖房で必要な温水温度を比べると、温水温度のほうが高くなるケースが多い。
【００１３】
図３に示される空気調和機において、室内機１０２で暖房運転、床パネル１０４で床暖房をしていると、室内熱交換器１１８と中間熱交換器１２１における冷媒の凝縮温度は同じになる。このとき、低い凝縮温度で能力を出すことのできる室内機１０２の影響が大きく、高い温水温度を設定しても、中間熱交換器１２１において必要な凝縮温度を得ることができないという問題がある。
【００１４】
また、図４に示される空気調和機は、同様の運転状態では、室内機である第一利用側熱交換器２０３の凝縮温度より中間熱交換器２０５の凝縮温度の方が常に低くなるため、図３に示される空気調和機よりも、中間熱交換器２０５において必要な凝縮温度を得ることはさらに困難になる。
【００１５】
本発明は、従来技術の有するこのような問題点に鑑みてなされたものであり、室内機が暖房運転をしている場合に、床暖房あるいは給湯に使用される二次冷媒を所望の温度に上昇させることができる快適性および経済性の向上した使い勝手のよい空気調和機を提供することを目的としている。
【００１６】
また、本発明の別の目的は、室外機と室内機からなる既存の空気調和機を大幅に変更することなく、二次冷媒を加熱するための中間ユニットを容易に取り付けて床暖房あるいは給湯を可能にした空気調和機を提供することである。
【００１７】
【課題を解決するための手段】
上記目的を達成するために、本発明のうちで請求項１に記載の発明は、室外機と、冷媒を用いて空調を行う室内機と、冷媒により二次冷媒を加熱する中間ユニットとを備えた空気調和機において、上記中間ユニットを暖房サイクルにおける上記室内機の上流側に配置するとともに、上記中間ユニットと上記室内機との間に冷媒循環時の上記中間ユニットと上記室内機の圧力を調整する減圧手段を設けたことを特徴とする。
【００１８】
また、請求項２に記載の発明は、上記中間ユニット内に設けられ、冷媒と二次冷媒との熱交換を行う中間熱交換器の暖房サイクルにおける下流側で並列に接続された開閉弁と中間絞り手段とにより上記減圧手段を構成したことを特徴とする。
【００１９】
さらに、請求項３に記載の発明は、上記室外機の制御を行う室外制御装置と上記室内機の制御を行う室内制御装置とが、上記中間ユニットの制御を行う中間制御装置を介して通信を行うことを特徴とする。
【００２０】
また、請求項４に記載の発明は、上記室内機に室内配管温度あるいは室内凝縮温度を検出する第一の温度検出手段を設け、暖房運転時、上記開閉弁への通電を制御するとともに、上記第一の温度検出手段で検出した温度に基づいて上記中間絞り手段の制御を行うことを特徴とする。
【００２１】
また、請求項５に記載の発明は、上記減圧手段と上記室内機との間に上記中間ユニット内の配管温度を検出する第二の温度検出手段を設け、二次冷媒端末を単独運転する場合、上記開閉弁への通電を制御するとともに、上記第二の温度検出手段で検出した温度に基づいて上記絞り手段の制御を行うことを特徴とする。
【００２２】
また、請求項６に記載の発明は、上記中間ユニットと上記室内機との間の冷媒配管と、上記室外機と上記中間ユニットとの間の冷媒配管とを連通するバイパス管を設け、暖房運転時は上記室外機を出た冷媒を上記中間ユニットおよび上記室内機を循環させて上記室外機に帰還させる一方、冷房運転時は上記室外機を出た冷媒を上記室内機を循環させ上記バイパス管を介して上記室外機に帰還させたことを特徴とする。
【００２３】
【発明の実施の形態】
以下、本発明の実施の形態について、図面を参照しながら説明する。
実施の形態１．
図１は、本発明にかかる空気調和機の実施の形態１を示しており、特に暖房運転時の接続状態を示している。
【００２４】
本発明にかかる空気調和機は、室外機２と、室内機４と、中間ユニット６とを備えており、互いに環状に接続されて冷媒回路が構成されている。
【００２５】
室外機２は、冷媒（一次冷媒）を圧縮するための圧縮機８と、室外空気と冷媒との熱交換を行うための室外熱交換器１０と、冷媒の絞り手段である電動膨張弁１２と、冷媒の循環方向を切り替えるための四方弁１４と、室外機２を制御するための室外制御装置１６と、室外熱交換器１０に室外空気を供給するための室外ファン１８とで構成されている。
【００２６】
一方、室内機４は、室内空気と冷媒との熱交換を行う室内熱交換器２０と、室内熱交換器２０に室内空気を供給するための室内ファン２２と、室内機４を制御するための室内制御装置２４とで構成されている。
【００２７】
また、中間ユニット６は、一次冷媒と二次冷媒との熱交換を行うための中間熱交換器２６と、冷媒の流れを開閉するための電動開閉弁２８と、冷媒の中間絞り手段である電動調整弁３０と、二次冷媒を貯留するためのバッファータンク３２とバッファータンク３２に貯留された二次冷媒を循環させるためのポンプ３４と、中間ユニット６を制御するための中間制御装置３６とで構成されている。電動開閉弁２８と電動調整弁３０は、室内熱交換器２０と中間熱交換器２６との間で並列に接続されて減圧手段を構成している。中間ユニット６では、中間熱交換器２６で一次冷媒との熱交換により得られた例えば温水等の二次冷媒はバッファータンク３２を経て、ポンプ３４により二次冷媒端末である温水床パネル３８で床暖房を行う。
【００２８】
上記構成の本発明にかかる空気調和機の暖房運転時においては、圧縮機８より吐出された冷媒は、四方弁１４を経て矢印Ａに示される方向に流れ、中間ユニット６を経て室内機４に流入し、さらに室外機２に流入して圧縮機８に帰還する。
次に、室内機４による暖房と温水床パネル３８による床暖房を同時に行う場合について詳しく説明する。
【００２９】
所定の回転数で回転する圧縮機８の吐出口から吐出された高温高圧の冷媒ガスは、暖房運転時は四方弁１４を経て、中間熱交換器２６でポンプ３４により循環される水に放熱して、冷媒ガスの一部が凝縮し中間熱交換器２６から流出する。
中間熱交換器２６から流出した冷媒は、電動開閉弁２８あるいは電動調整弁３０を通過して室内機４の室内熱交換器２０に流入する。室内熱交換器２０において、冷媒は、室内ファン２２によって供給される室内空気にさらに放熱し、ほぼ液体の状態で室外機２に帰還する。室外機２に帰還した冷媒は電動膨張弁１２でさらに減圧され、室外熱交換器１０で室外ファン１８によって供給される室外空気から吸熱し、再び四方弁１４を経て圧縮機８に吸入される。
【００３０】
このとき、中間熱交換器２６における冷媒の圧力は、圧縮機８の吐出圧と同様の圧力値となる。また、蒸発器となる室外熱交換器１０の冷媒圧力は、室外空気の温度や湿度、室外ファン８の風量、室外熱交換器１０の熱交換性能等によって決定され、室外空気温度より数度低い飽和温度に対応する圧力値になる。
【００３１】
電動膨張弁１２は、主に圧縮機８の吸入冷媒の状態を適切にするよう調整するものであって、中間熱交換器２６における冷媒圧力や室外熱交換器１０における冷媒圧力を意図的に調整できるものではない。また、中間熱交換器２６で作られる温水の温度は中間熱交換器２６における冷媒圧力の飽和温度に概ね等しく、室内熱交換器２０における冷媒圧力および温度に応じて室内熱交換器２０の能力が決定される。
【００３２】
ここで、電動開閉弁２８が開いている場合を考えると、電動開閉弁２８と電動調整弁３０が無い状態に等しく、中間熱交換器２６における冷媒圧力と室内熱交換器２０における冷媒圧力は概ね等しくなる。従って、圧縮機８の回転数が上昇すると、冷媒循環量および圧縮機８の吐出圧力が上昇し、温水温度が上昇するとともに室内熱交換器２０の冷媒温度も上昇して、全般的に放熱量を増加させることができる。しかしながら、この場合、中間熱交換器２６と室内熱交換器２０の放熱量のバランスを任意に調整することはできない。すなわち、室内空気の温度や室内ファン２２の風量が同じで、温水床パネル３８や室内機４の条件が一定であれば、任意に中間熱交換器２６と室内熱交換器２０の放熱量のバランスを変えることはできない。
【００３３】
そこで、電動開閉弁２８を閉じ、電動調整弁３０の開度を絞ると、中間熱交換器２６における冷媒圧力は上昇し、室内熱交換器２０の冷媒圧力は、電動調整弁３０の開度に応じて、中間熱交換器２６における冷媒圧力と室外熱交換器１０における冷媒圧力の中間に設定される。また、室内熱交換器２０の圧力が低下するにつれて室内機４の能力も低下する。
【００３４】
通常暖房では、気流がない状態が好ましいとされ、温水床パネル３８を主に、室内機４を補助に用いて暖房するのが理想的である。さらに、室内熱交換器２０の冷媒圧力が高くなくても、室内機４は風量を調整することによって能力を出すことが可能であるが、温水床パネル３８は中間熱交換器２６における冷媒圧力を高くしなければ必要な床温度を得ることができない。
【００３５】
従って、中間熱交換器２６を高温の採りやすい上流側に配置することが望ましい。
【００３６】
このように、中間熱交換器２６を上流側に配置し、室内機４と中間熱交換器２６の間に、電動開閉弁２８と電動調整弁３０を互いに並列に接続して配置することによって、温水床パネル３８に必要な温度を得ることができるとともに、室内機４の能力を任意に設定できる。したがって、暖房運転時の室温と床温度の制御性が向上し、快適な暖房を行うことができる。
【００３７】
また、室内制御装置２４と中間制御装置３６と室外制御装置１６との間で通信を行う際、室内制御装置２４が中間制御装置３６を介して室外制御装置１６との通信を行うようにすると、中間制御装置３６は容易に室内機４の状態を知ることができる。こうすることで、室内機４による暖房と温水床パネル３８による暖房の制御性がさらに向上し、快適な暖房状態をより確実に実現することができる。
【００３８】
また、冷房運転を行う場合には、足下が冷えるのを避けるために、温水床パネル３８は使用せず室内機４だけで冷房を行うのが望ましい。電動開閉弁２８と電動調整弁３０は、冷房運転時においては圧力損失を生じるだけであるため開いておくのが望ましい。さらに、電動開閉弁２８は無通電時に開くようにしておくと、無駄な電力消費を抑えることができる。
【００３９】
したがって、冷房運転時はポンプ３４を停止したうえで、電動開閉弁２８を開き、電動調整弁３０は通電せず開いた状態で使用すると、圧力損失が抑制されるとともに、無駄な電力消費が削減されるので、中間ユニット６があっても経済性を損なうことなく冷房運転を行うことができる。
【００４０】
これはまた、室内機４単独の暖房運転が選択された場合においても、冷房運転と同様にポンプ３４を停止したうえで、電動開閉弁２８を開き、電動調整弁３０は通電せず開いた状態で使用すると、圧力損失を抑え、無駄な電力消費を削減することができる。
【００４１】
また、室内機４と温水床パネル３８による暖房を立ち上げる際は、即暖性の観点から起動時の熱負荷が小さい室内温度を優先的に上昇させることが望ましい。
すなわち、ポンプ３４を停止するか、二次冷媒の循環量を抑制したうえで、電動開閉弁２８と電動調整弁３０には通電せず共に開いた状態で使用し、室内機４単独の暖房運転を行う。これにより、経済性と暖房の立ち上がり速度を損なうことなく暖房運転を行うことができる。
【００４２】
また、図１に示されるように、室内機４の冷媒配管には第一温度検出手段である室内配管温センサ４０が設けられている。室内配管温センサ４０の位置は、暖房サイクルの室内機４の入り口であっても、室内熱交換器２０の途中であってもよい。
【００４３】
暖房が立ち上がり、室温が目標値に対し所定内の値に到達すると、電動開閉弁２８は閉止され、室内制御装置２４から送られてくる室内配管温センサ４０によって検知された配管温度あるいは凝縮温度に応じて電動調整弁３０の開度が調整される。例えば、室内機４の能力を減少したい場合には、室内配管温センサ４０の検知温度が適正な値に降下するまで電動調整弁３０が絞り制御される一方、室内機４の能力を増加したい場合には、室内配管温センサ４０の検知温度が適正な値に上昇するまで電動調整弁３０が開制御される。これにより、電動調整弁３０の制御精度を向上させることができるとともに、快適な暖房状態を精度良く実現することができる。
【００４４】
また、暖房サイクルにおける中間ユニット６の出口には、第二の温度検出手段である中間配管温センサ４２が設けられている。ここで、温水床パネル３８のみによる暖房運転を行う場合を考えると、室内機４はＯＦＦとなっているので、通信信号は発生せず、室内機４の情報を得ることができない。この状態では、運転条件によっては室内熱交換器２０にも温度の高い冷媒が流れてしまうことがあり、室内では自然対流が生じたり暖かい空気が天井側に滞留したりすることで快適性が損なわれてしまう可能性がある。そこで、中間配管温センサ４２より得られた配管温度が所定の温度より低くなるよう電動調整弁３０の開度を調整すれば、室内機４から通信データが得られなくても電動調整弁３０を精度良く調整することができる。その結果、室内機４に流れる冷媒温度と室内空気との温度差が小さくなり、自然対流の発生を抑えて気流の極めて少ない快適な暖房を実現することができる。
【００４５】
さらに、室内機４が停止している場合、不用な熱を室内機４で放出するのを防止することができ、熱効率が向上する。
【００４６】
また、本発明にかかる空気調和機においては、室内制御装置２４と中間制御装置３６の間の通信データ形式と、中間制御装置３６と室外制御装置１６の間の通信データ形式を同じにし、室内制御装置２４からの通信データの一部を中間制御装置３６が書き換えて室外制御装置１６へ送る通信形態をとっている。例えば、室内制御装置２４がある能力要求を出したとすると、中間制御装置３６は中間熱交換器２６で必要な能力を加算して能力要求値を書き換えた後、室外制御装置１６に送信する。室外機２は、必要な能力値を情報として受け取るだけで、室外機２が室内機４と直結しているのか、中間ユニット６が介在しているのかを考慮する必要なく圧縮機８の回転数を制御することができる。したがって、通信データ形式が同じ室内機と室外機のセットであれば、様々な種類のセットに中間ユニット６を接続することができ、多様な装置構成を容易に実現することができる。
【００４７】
実施の形態２．
図２は、本発明にかかる空気調和機の実施の形態２を示しており、図１に示される実施の形態１の構成に加えて、中間ユニット６に二つの逆止弁４４，４６を設けたものである。
【００４８】
さらに詳述すると、中間熱交換器２６と電動開閉弁２８および電動調整弁３０との間の冷媒配管に暖房運転時の冷媒流れのみ許容する逆止弁４４を取り付けるとともに、電動開閉弁２８および電動調整弁３０と室内熱交換器２０との間の冷媒配管と、圧縮機８と中間熱交換器２６との間の冷媒配管とを連通するバイパス管４８を設け、このバイパス管４８に冷房運転時の冷媒流れのみ許容する逆止弁４６を取り付けたものである。
【００４９】
この構成によれば、暖房運転時においては、中間熱交換器２６の上流側の冷媒圧力が電動開閉弁２８および電動調整弁３０の下流側の冷媒圧力より高いので、冷媒がバイパス管４８を介して矢印Ｂの方向に流れることはなく、実施の形態１の構成と同様の経路で冷媒は循環する。一方、冷房運転時においては、室内熱交換器２０を通過した冷媒は、バイパス管４８を矢印Ｂの方向に流れて圧縮機８に直接帰還する。したがって、デアイス運転（除霜運転）時に中間熱交換器２６に冷媒が流れることはなく、温水等の二次冷媒の温度低下や凍結を防止することができるとともに、冷房運転あるいはデアイス運転時の圧力損失が低減する。
【００５０】
上記構成において、逆止弁４４，４６を使用したが、逆止弁４４，４６に代えて電動開閉弁を使用することもできる。
【００５１】
なお、上記実施の形態１および２においては、一次冷媒としてＨＦＣ冷媒（例えばＲ４１０ＡやＲ３２）やＨＣＦＣ冷媒（例えばＲ２２）等の亜臨界冷媒が使用されるが、ＣＯ２等の超臨界冷媒を使用することもできる。すなわち、超臨界サイクルにおいては、高い二次冷媒温度を得るためには、圧力を上げるのが有効であり、限られた範囲の圧縮機運転周波数内において異なる温度の出力を実現することができる。
【００５２】
さらに、実施の形態１および２においては、二次冷媒端末を温水床パネル３８として説明したが、二次冷媒端末は給湯器であってもよく、二次冷媒としては水以外にブライン（不凍液）を使用することも可能である。
【００５３】
【発明の効果】
本発明は、以上説明したように構成されているので、以下に記載されるような効果を奏する。
【００５４】
中間ユニットを暖房サイクルにおける室内機の上流側に配置するとともに、中間ユニットと室内機との間に冷媒循環時の圧力損失を調整する減圧手段を設けるようにしたので、室内機が運転されていても所望の二次冷媒温度を得ることができ、室内機による暖房と二次冷媒端末による暖房あるいは給湯の制御性が向上し、快適で使い勝手のよい空気調和機を提供することができる。
【００５５】
また、中間ユニット内に設けられ、冷媒と二次冷媒との熱交換を行う中間熱交換器の暖房サイクルにおける下流側で並列に接続された開閉弁と中間絞り手段とにより減圧手段を構成したので、冷房運転時および室内機単独の暖房運転時に開閉弁を開制御することにより、減圧手段による圧力や熱の損失を防止することができ、快適性および経済性に優れた暖房あるいは冷房状態を実現することができる。さらに、室内機による室内の暖房運転と二次冷媒端末による室内の暖房あるいは給湯等を同時に立ち上げる場合、二次冷媒の循環を停止するか循環量を抑制するとともに、開閉弁を開制御することにより減圧手段による無駄な圧力損失を抑え、起動時の熱負荷が小さい室内温度を優先的に上昇させることができる。したがって、暖房運転時の経済性と暖房の立ち上がり速度を損なうことなく快適な暖房運転を行うことができる。
【００５６】
また、室外制御装置と室内制御装置とが、中間制御装置を介して通信を行う用にしたので、中間ユニットが室内機の情報を容易に入手することができ、室内機による暖房と二次冷媒端末による暖房あるいは給湯の制御性をさらに向上させることができる。さらに、室内制御装置から送られてきた情報の一部を中間制御装置が書き換えて室外制御装置に送ることができるので、室外機から見た場合に室内機の種類の違いや中間ユニットの存在を考慮せずに室外機を制御することができる。したがって、多様な装置構成を容易に実現することができ、例えば室外機と室内機からなる空気調和機に中間ユニットを追加装備することもできる。
【００５７】
また、室内機に設けられた第一の温度検出手段の出力に基づいて中間絞り手段の制御を行うようにしたので、室内機による暖房と二次冷媒端末による暖房あるいは給湯の制御精度を高めることができる。
【００５８】
また、二次冷媒端末による単独運転の際、減圧手段と室内機との間に設けられた第二の温度検出手段の出力に基づいて中間絞り手段を制御するようにしたので、室内機との通信がなくとも二次冷媒端末による効率のよい単独運転が可能となり無駄な電力消費を抑制することができるとともに、室内機に温度の高い冷媒が流れるのを防止し、自然対流の発生や暖気の滞留を抑えることができる。したがって、気流と温度分布のきわめて少ない快適な暖房を実現することができる。
【００５９】
また、暖房運転時は室外機を出た冷媒を中間ユニットおよび室内機を循環させて室外機に帰還させる一方、冷房運転時は室外機を出た冷媒を室内機を循環させバイパス管を介して室外機に帰還させるようにしたので、デアイス運転時に中間ユニットに冷媒が流れることはなく、温水等の二次冷媒の温度低下や凍結を防止することができるとともに、冷房運転あるいはデアイス運転時の圧力損失を低減することができる。
【図面の簡単な説明】
【図１】本発明にかかる空気調和機の実施の形態１を示すブロック図である。
【図２】本発明にかかる空気調和機の実施の形態２を示すブロック図である。
【図３】従来の空気調和機を示すブロック図である。
【図４】従来の別の空気調和機を示すブロック図である。
【符号の説明】
２　室外機、　４　室内機、　６　中間ユニット、　８　圧縮機、
１０　室外熱交換器、　１２　電動膨張弁、　１４　四方弁、
１６　室外制御装置、　１８　室外ファン、　２０　室内熱交換器、
２２　室内ファン、　２４　室内制御装置、　２６　中間熱交換器、
２８　電動開閉弁、　３０　電動調整弁、　３２　バッファータンク、
３４　ポンプ、　３６　中間制御装置、　３８　温水床パネル、
４０　室内配管温センサ、　４２　中間配管温センサ、
４４，４６　逆止弁、　４８　バイパス管。
【図１】
2004044946.tif 000003
【図２】
2004044946.tif 000004
【図３】
2004044946.tif 000005
【図４】
2004044946.tif 000006